(57)【要約】【課題】低コストで煙突を簡単に解体できる煙突解体用足場装置及びその装置を用いた解体方法を提供する。【解決手段】内筒１０１と外筒１０２の二重管構造を有する煙突１００を上部から解体する際に用いられる煙突解体用足場装置１は、内筒１０１の外周全域から径方向外方へ延出する大きさの張出部３を有した上段床部４と、上段床部４から垂下する複数の支柱部５の下端に支持されて内筒１０１内に水平状態で配置される下段床部６とを有する足場枠体２と、足場枠体２を内筒１０１の内壁部に支持すると共に足場枠体２を内筒１０１に対して上下方向に移動させる昇降手段３０を備える。【選択図】　図１
2004076256.tif 000002
【特許請求の範囲】
【請求項１】
内筒と、該内筒に対して所定の間隙を介してその外方を包囲する外筒の二重管構造を有する煙突を上部から解体するために該煙突に取り付けられる煙突解体用足場装置において、
前記内筒の外周全域から径方向外方へ延出する大きさの張出部を有した上段床部と、該上段床部から下方に伸長する複数の支柱部に支持されて前記内筒内に水平状態で装填可能な下段床部とを有する足場枠体と、
該足場枠体を前記内筒の内壁部に支持すると共に前記足場枠体を前記内筒に対して上下方向に移動させる昇降手段と、
を備えることを特徴とする煙突解体用足場装置。
【請求項２】
前記昇降手段は、
前記足場枠体の前記張出部よりも下方位置に下端が支持され、上端が前記内筒の内壁部に取り付けられて前記足場枠体を吊り下げ支持する吊り下げ部材と、
該吊り下げ部材の上端と下端の間の長さを調整可能な調整手段を有することを特徴とする請求項１に記載の煙突解体用足場装置。
【請求項３】
前記上段床部は、
前記内筒の外周全域から径方向外方に向かって延長可能な構造を有することを特徴とする請求項１又は２に記載の煙突解体用足場装置。
【請求項４】
前記足場枠体を前記煙突の上方から下降させて前記下段床部を前記内筒上端から内筒内に装填し、前記張出部を前記内筒の上端に係止させる第１ステップと、
前記昇降手段により前記足場枠体を前記内筒の内壁部に支持する第２ステップと、
前記外筒の上端から下方に向かって所定高さ部分を除去する第３ステップと、
前記昇降手段により前記足場枠体を上昇させ、前記張出部が前記内筒の上端から上方に僅かに離間する高さ位置に支持する第４ステップと、
前記内筒の上端から前記昇降手段の上端支持箇所近傍位置までの所定高さ分を切断して除去する第５ステップと、
前記昇降手段により、前記足場枠体を下降させ、前記張出部を前記内筒の上端に係止させる第６ステップと、
前記第２ステップ〜第６ステップまでを繰り返して前記煙突を上端から解体することを特徴とする請求項１〜３のいずれかに記載の煙突解体用足場装置を用いた煙突解体方法。
【発明の詳細な説明】
【０００１】
【発明の属する技術分野】
本発明は、煙突解体用足場装置及びその装置を用いた煙突解体方法に関し、特に、内筒と、内筒の外方を所定の間隙を介して包囲する外筒の二重管構造を有した煙突を上部から解体するための煙突解体用足場装置及びその装置を用いた煙突解体方法に関する。
【０００２】
【従来技術】
例えば、図７（ｂ）に示すように、高さが７０ｍ程度の低中層の鉄筋コンクリート製からなる煙突１０３を解体する場合は、クレーンに吊り下げた鉄球を衝突させて解体している。
【０００３】
これに対し、例えば、図７（ａ）に示すように、スチールなどの金属製材料によって構成された内筒１０１と、その内筒１０１に対して所定の間隙を有してその外方を包囲する鉄筋コンクリート製の外筒１０２の二重管構造を有し、高さが１５０ｍ程度の高層の煙突１００を解体する場合、金属製の内筒１０１は、上部から作業員のガス溶断により解体しなければならない。そして、鉄筋コンクリート製の外筒１０２は、鉄球が届かない部分は、上部から作業員の手ハツリにより解体しなければならない。
【０００４】
したがって、かかる二重管構造を有する高層の煙突１００を解体する場合には、地面から煙突１００の頂上まで足場を組み、その足場に作業員が乗って煙突１００の上端から内筒１０１と外筒１０２を解体していた（図示せず）。
【０００５】
【発明が解決しようとする課題】
しかしながら、地面から足場を組む作業は大変な労力を必要とする。また、解体の進行によって順次低くなる煙突１００の高さに応じて、足場を上方から分解する作業が必要となる。更に、高層の足場を安定して支える必要があることから、足場全体を強固なものとする必要がある。したがって、煙突１００の解体に必要とされるコストが高騰し、工期も長くなるという問題がある。
【０００６】
本発明は、上述の点に鑑みてなされたものであり、その目的は、低コストで煙突を簡単に解体できる煙突解体用足場装置及びその装置を用いた解体方法を提供することにある。
【０００７】
【課題を解決するための手段】
上記目的を達成するためになされた請求項１の発明は、内筒と、内筒に対して所定の間隙を介してその外方を包囲する外筒の二重管構造を有する煙突を上部から解体するために煙突に取り付けられる煙突解体用足場装置において、内筒の外周全域から径方向外方へ延出する大きさの張出部を有した上段床部と、上段床部から下方に伸長する複数の支柱部に支持されて内筒内に水平状態で装填可能な下段床部とを有する足場枠体と、足場枠体を内筒内で内筒の内壁部に支持すると共に足場枠体を内筒に対して上下方向に移動させる昇降手段と、を備えることを特徴とする。
【０００８】
この発明によると、例えばクレーン等によって煙突解体用足場装置を吊り下げて煙突の上方から下降させて、下段床部を内筒の上端から内筒内に装填し、張出部を内筒の上端に係止して、上段床部を外筒内で水平状態に配置し、下段床部を内筒内で水平状態に配置する。そして、昇降手段により足場枠体を内筒の内壁部に支持する。
【０００９】
これにより、作業員は、上段床部に乗って外筒の切除作業を行うことができ、また、下段床部に乗って内筒の切除作業を行うことができる。
【００１０】
そして、外筒と内筒を所定高さ位置まで切除した後に、昇降手段により足場枠体を下降させ、上記の除去作業により新たに形成された内筒の上端に張出部を載せて係止させる。そして、以下同様に、内筒と外筒の切除作業と、足場枠体の下降移動を交互に繰り返すことで二重構造を有する煙突を上方から順次解体する。
【００１１】
これによれば、従来のように足場を地面から煙突の頂上まで組み上げる必要がなく、また、従来の解体の進行に応じた足場の分解という作業を省略することができる。したがって低コストで煙突を簡単に解体することができる。
【００１２】
請求項２の発明は、請求項１に記載の煙突解体用足場装置において、昇降手段が、足場枠体の張出部よりも下方位置に下端が支持され、上端が内筒の内壁部に取り付けられて足場枠体を吊り下げ支持する吊り下げ部材と、吊り下げ部材の上端と下端の間の長さを調整可能な調整手段を有することを特徴とする。
【００１３】
この発明は、本発明の構成要素である昇降手段を具体的な実施の形態に限定したものであり、これによれば、簡易な構成により簡単でかつ確実に足場枠体を内筒内で内筒の内壁部に支持し、上下方向に昇降させることができる。
【００１４】
請求項３の発明は、請求項１又は２に記載の煙突解体用足場装置において、上段床部は、内筒の外周全域から径方向外方に向かって延長可能な構造を有することを特徴とする。
【００１５】
この発明によると、例えば、煙突の上端から下方に移行するにしたがって外筒の内径が漸次拡径する煙突である場合に、上段床部を外筒の内壁部に接近させることができ、外筒を除去するための足場を確実に確保し、除去作業を安全に行うことができる。
【００１６】
請求項４の発明は、請求項１〜３のいずれかに記載の煙突解体用足場装置を用いた煙突解体方法において、足場枠体を煙突の上方から下降させて下段床部を内筒上端から内筒内に装填し、張出部を内筒の上端に係止させる第１ステップと、昇降手段により足場枠体を内筒の内壁部に支持する第２ステップと、外筒の上端から下方に向かって所定高さ部分を除去する第３ステップと、昇降手段により足場枠体を上昇させ、張出部が内筒の上端から上方に僅かに離間する高さ位置に支持する第４ステップと、内筒の上端から昇降手段の上端支持箇所近傍位置までの所定高さ分を切断して除去する第５ステップと、昇降手段により、足場枠体を下降させ、張出部を内筒の上端に係止させる第６ステップと、第２ステップ〜第６ステップまでを繰り返して煙突を上端から解体することを特徴とする。
【００１７】
この発明は、上記煙突解体用足場装置を用いた煙突解体方法の一例を具体的に示したものであり、これによれば、張出部を内筒の上端に載せた状態で外筒の切除作業を行うので、作業時に安定した足場を提供することができる。また、内筒を除去する際に、足場枠体を張出部が内筒の上端部から上方に僅かに離間する高さ位置に支持するので、内筒の除去作業を容易に行うことができる。
【００１８】
【発明の実施の形態】
次に、本発明の実施の形態について図に基づいて説明する。図１は、煙突解体用足場装置の正面図、図２は、図１のＡ−Ａ線を矢視方向から見た説明図、図３は、図１のＢ−Ｂ線を矢視方向から見た説明図である。
【００１９】
本実施の形態において、解体する煙突１００は、図７に示すように、内筒１０１と外筒１０２の二重管構造を有した、いわゆる「内筒型集合煙突」といわれるものであり、内筒１０１は、同一径を有した金属製のパイプ部材を直列的につなぎ合わせることによって構成されている。一方、外筒１０２は、鉄筋コンクリート製の塔状構造物であり、上端から下方に移行するにしたがってその直径が漸次大きくなり、内筒１０１との間隙が拡がる形状を有している。煙突１００は、本実施の形態では、全長１５０ｍ、内筒１０１の内径３．２ｍ、最頂部における外筒の内径４．８ｍ、地上高６０ｍにおける外筒の内径８．７ｍに形成されている。
【００２０】
煙突解体用足場装置１は、図示していないクレーン等によって吊り上げられて煙突１００の頂部にセットされ、解体の進行に応じて下方に移動されるものであり、足場枠体２と昇降手段３０を備えている。
【００２１】
足場枠体２は、図１及び図２に示すように、内筒１０１の外周全域から径方向外方へ延出する大きさの張出部３を有した上段床部４と、上段床部４から下方に伸長する複数の支柱部５に支持されて内筒内に水平状態で装填可能な下段床部６とを有している。
【００２２】
上段床部４は、図２に示すように、張出部３が所定の剛性を有する鉄製の梁部材を格子状に配置することによって構成されており、その上面には図示していない床板が張り渡されている。上段床部４の中央には、荷物搬送用穴７が形成されており、その周囲には、荷物搬送用穴７から作業者が転落するのを防止するための上段安全柵８が設けられている。
【００２３】
この上段床部４は、本実施の形態では、外筒の内径が下方に移行するにしたがって拡径するのに対応するために、径方向外方に向かって延長可能な構造を有している。この延長構造は、張出部３の上面に固定された二重のリング状の基台１１、１２と、各基台１１、１２にそれぞれ周方向に等間隔をおいて全周に亘って取り付けた複数のクランパ１３（図２では一部のみ表示）と、各クランパ１３にクランプ固定されて放射状に設置される複数本の丸棒部材１４（図２では二点鎖線で３本のみ表示）によって構成されており、これらの丸棒部材１４の上部には図示していない床板が張り渡されている。上段床部４は、丸棒部材１４を径方向外方に移動させたり、若しくは更に長いものに交換して、その上部に床板を張り渡すことにより、径方向外方に延長される。
【００２４】
一方、下段床部６は、作業員が乗って内筒１０１の解体作業を行うことができるように、図３に示すように、所定の剛性を有する鉄製の梁部材２１を井桁状に配置し、その上面に図示していない床板を張り渡すことによって構成されている。下段床部６の中央には、荷物搬送用穴２４が形成されており、その周囲には、荷物搬送用穴２４から作業者が転落するのを防止するための下段安全柵２５が設けられている。
【００２５】
また、下段床部６の外周には、下段床部６から径方向外方に向かって突出させることによって足場枠体２を内筒１０１内に固定することができる固定手段２６が設けられており、作業時における足場枠体２の安定性を高めることができるように構成されている。
【００２６】
各梁部材２１の両端部には、各支柱部５の下端がそれぞれ結合されており、各支柱部５の下部には、後述する昇降手段３０を取り付けるためのＵ字フック２３が取り付けられている。
【００２７】
昇降手段３０は、足場枠体２を内筒１０１の内壁部に支持すると共に足場枠体２を内筒１０１に対して上下方向に移動させるものであり、本実施の形態では、複数の小型けん引機（レバーブロック）により構成されている。小型けん引機３０は、先端に鉤状のチェーンフック３１を有するチェーン（吊り下げ部材）３２と、本体フック３３を有しそのチェーン３２をハンドル３４の揺動操作により捲き揚げ及び巻き戻ししてチェーン３２の長さを調整可能な本体部３５（調整手段）を有している。上記構成を有する小型けん引機３０は、本体フック３３を支柱部５のＵ字フック２３に係合し、チェーンフック３１を内筒１０１の内壁部に取り付けることによってセットされる。尚、内筒１０１の内壁部には、本体フック３３を引っ掛けて取り付けるために、予め作業者によってシャックル３６がねじ止め固定されている。
【００２８】
次に、上記構成を有する煙突解体用足場装置１を用いた煙突解体方法について図４〜図６に基づいて以下に説明する。
【００２９】
まず最初に、煙突解体用足場装置１を図示していないクレーンで吊り上げて、煙突１００の上方から下降させ、足場枠体２の下段床部６を内筒１０１の上端から内筒１０１内に装填し、図４に示すように、張出部３を内筒１０１の上端に載せて係止させる（第１ステップ）。
【００３０】
そして、昇降手段である小型けん引機３０によって足場枠体２を内筒１０１の内壁部に支持する（第２ステップ）。ここでは、まず支柱部５のＵ字フック２３に本体フック３３が係合された小型けん引機３０のチェーンフック３１をＵ字フック２３よりも上方で内筒１０１の内壁部に取り付けられているシャックル３６に引っ掛けて取り付ける。そして、チェーン３２を巻き上げて、張出部３が内筒１０１の上端から上方に離間しない程度のテンションをチェーン３２に与えておく。この作業を各支柱部５に設けられている全ての小型けん引機３０に行い、足場枠体２を内筒１０１の内壁部に支持する。それから、固定手段２６によって下段床部６を内筒１０１に固定する。
【００３１】
足場枠体２の固定が終了すると、次に作業者は上段床部４に移動して、外筒１０２の上端から所定高さ分を切断して除去する作業を行う（第３ステップ）。外筒１０２の切断は、作業者の手ハツリによって行われ、本実施の形態では、約２ｍ程度のブロック状に切断し、そのまま外筒の外側に落下させて除去する方法が採られる。
【００３２】
外筒１０２を所定高さ分だけ切断して除去すると、次に作業者は下段床部６に移動して、固定手段２６による下段床部６の固定を解除し、小型けん引機３０を操作して張出部３が内筒１０１の上端から上方に僅かに離間する高さ位置まで足場枠体２を上昇移動させ（第４ステップ）、内筒１０１の上端から所定高さ分を水平に切断して除去する作業を行う（第５ステップ）。
【００３３】
内筒１０１の切断は、作業者によるガス溶断によって行われ、その切断片は、図５に示すように、荷物搬送用穴７から内筒１０１内を下方に落下させることで除去される。これにより、内筒１０１は、上端から本体フック３１が取り付けられているシャックル３６の上方位置（上端支持箇所近傍位置）までの所定高さ分が切除され、切除前よりも低い箇所に新たな上端が形成される。
【００３４】
内筒１０１の所定高さ分の切除が終了すると、次に作業者は、小型けん引機３０のハンドル３４を揺動操作してチェーン３２を巻き戻し、足場枠体２全体を下降させ、図６に示すように、張出部３を内筒１０１の新たな上端に係止させる（第６ステップ）。そして、小型けん引機３０のチェーンフック３１をシャックル３６から取り外し、そのシャックル３６よりも下方位置であって支柱部のＵ字フック２３よりも上方位置に予め取り付けられている別のシャックル３７に引っ掛ける。そして、チェーン３２を巻き上げて、張出部３が内筒１０１の上端から上方に離間しない程度のテンションをチェーン３２に与えておく。これにより、足場枠体２を内筒１０１の内壁部に支持し、また、固定手段２６によって下段床部６を内筒１０１内に固定する（第７ステップ）。そして、上記の第３ステップから第７ステップまでの作業を繰り返し行い、順次下降しながら煙突１００を上端から解体する。
【００３５】
外筒１０２は、下方に移行するにしたがってその直径が漸次大きくなり、内筒１０１との間隙が拡がる形状を有しているので、上段床部４は、解体の進行に応じて、径方向外方に向かって漸次延長される。これにより、作業者は、外筒１０２の内壁部に接近することができ、外筒１０２の除去作業を容易かつ確実に行うことができる。
【００３６】
上記の煙突解体用足場装置１によれば、従来のように足場を地面から煙突１００の頂上まで組み上げる必要がなく、また、解体の進行に応じて足場を分解するという従来作業を省略することができる。したがって低コストで煙突１００を簡単に解体することができる。特に、張出部３が内筒１０１から径方向外方に張り出しており、足場枠体２が下方に移動した場合には、必ず内筒１０１の上端に張出部３が引っ掛かるので、足場枠体２が落下するおそれが無く、安心して作業を行うことができるという利点を有している。また、昇降手段を小型けん引機３０により構成したことで、簡易な構成により簡単でかつ確実に足場枠体２を内筒１０１の内壁部に支持し、上下方向に昇降させることができる。
【００３７】
そして、上記の煙突解体用足場装置１を用いた煙突解体方法によれば、張出部３を内筒１０１の上端に載せた状態で外筒１０２の除去作業を行うので、作業時に安定した足場を提供することができる。また、内筒１０１を除去する際に、足場枠体２を張出部３が内筒１０１の上端から上方に僅かに離間する高さ位置に支持するので、内筒１０１の除去作業を容易に行うことができる。
【００３８】
【発明の効果】
以上説明したように、本発明に係る煙突解体用足場装置によれば、煙突解体用足場装置を煙突の上方から下降させて、下段床部を内筒の上端から内筒内に装填し、張出部を内筒の上端に係止して、上段床部を外筒内で水平状態に配置し、下段床部を内筒内で水平状態に配置し、昇降手段により足場枠体を内筒の内壁部に支持するので、従来のように足場を地面から煙突の頂上まで組み上げる必要がなく、また、従来の解体の進行に応じた足場の分解という作業を省略することができる。したがって低コストで煙突を簡単に解体することができる。
【００３９】
また、上記装置を用いた煙突解体方法によれば、張出部を内筒の上端に載せた状態で外筒の切除作業を行うので、作業時に安定した足場を提供することができる。また、内筒を除去する際に、足場枠体を張出部が内筒の上端部から上方に僅かに離間する高さ位置に支持するので、内筒の除去作業を容易に行うことができる。
【図面の簡単な説明】
【図１】煙突解体用足場装置の正面図である。
【図２】図１のＡ−Ａ線を矢視方向から見た説明図である。
【図３】図１のＢ−Ｂ線を矢視方向から見た説明図である。
【図４】煙突解体方法（外筒の解体方法）を説明する図である。
【図５】煙突解体方法（内筒の解体方法）を説明する図である。
【図６】煙突解体方法（足場枠体の下降方法）を説明する図である。
【図７】煙突の構成を説明する図である。
【符号の説明】
１　煙突解体用足場装置
２　足場枠体
３　張出部
４　上段床部
５　支柱部
６　下段床部
１００　煙突
１０１　内筒
１０２　外筒
【図１】
2004076256.tif 000003
【図２】
2004076256.tif 000004
【図３】
2004076256.tif 000005
【図４】
2004076256.tif 000006
【図５】
2004076256.tif 000007
【図６】
2004076256.tif 000008
【図７】
2004076256.tif 000009